(57)【要約】【課題】新主ロープを損傷させずに、既設主ロープ用ドラム及び新主ロープ用ドラムを円滑に回転させるエレベーターの主ロープ交換用テンション負荷装置の提供を目的とする。【解決手段】上記課題は、既設主ロープが既設主ロープ用ドラムに巻回する方向と、新主ロープが新主ロープ用ドラムに巻回する方向とが同一方向となるように、既設主ロープを既設主ロープ用ドラムに、かつ、新主ロープを新主ロープ用ドラムに、それぞれ巻回させてなるエレベーターの主ロープ交換用テンション負荷装置において、既設主ロープ用ドラム２３に巻き付いた既設主ロープ４の巻き回し位置が巻き回し終了方向にずれるように案内し、かつ、新主ロープ用ドラム２４に巻き付いた新主ロープ１０の巻き回し位置が巻き回し終了方向にずれるように案内する案内手段２５Ａ、２８Ａを設けることで、達成できる。【選択図】図２
2005178920.tif 000002
【特許請求の範囲】
【請求項１】
巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにカウンタプーリを係合させて支持されるカウンタウェートとを備え、乗りかごを昇降路の頂部近傍に、かつ、カウンタウェートを昇降路の底部近傍に、それぞれ仮保持した状態で、既設主ロープの両端近傍を切断し、その既設主ロープの乗りかご側切断端を既設主ロープ回収用巻き取り手段に連結すると共に、その既設主ロープのカウンタウェート側切断端を新主ロープ供給ドラム体に予め巻回してある新主ロープの一端に接続した後、巻上機を駆動して既設主ロープを前記既設主ロープ回収用巻き取り機に回収しながら新主ロープに交換するエレベーターの主ロープ交換方法に用いられものであって、同一軸上に設けた既設主ロープ用ドラムと新主ロープ用ドラムを有し、しかも、前記既設主ロープ回収用巻き取り手段に回収される既設主ロープを前記既設主ロープ用ドラムに巻回させる方向と新主ロープ供給ドラム体から供給される新主ロープを前記新主ロープ用ドラムに巻回させる方向とが同一方向となるように、前記既設主ロープを前記既設主ロープ用ドラムに、かつ、前記新主ロープを前記新主ロープ用ドラムに、それぞれ巻回させるように構成してなるエレベーターの主ロープ交換用テンション負荷装置において、前記既設主ロープ用ドラムに巻き付いた既設主ロープの巻き回し位置が巻き回し終了方向にずれるように案内し、かつ、前記新主ロープ用ドラムに巻き付いた新主ロープの巻き回し位置が巻き回し終了方向にずれるように案内する案内手段を設けたことを特徴とするエレベーターの主ロープ交換用テンション負荷装置。
【請求項２】
前記既設主ロープ用ドラムのロープ巻き付き面の外方に既設主ロープ外れ止めローラーを設置させ、かつ、前記新主ロープ用ドラムのロープ巻き付き面の外方に新主ロープ外れ止めローラー設置させると共に、前記既設主ロープ外れ止めローラーに設けられ、かつ、既設主ロープ用ドラムに巻かれる既設主ロープの巻き回し位置が巻き回し終了方向にずれるように案内する出っ張り部及び前記新主ロープ外れ止めローラーに設けられ、かつ、前記新主ロープ用ドラムに巻かれる新主ロープの巻き回し位置が巻き回し終了方向にずれるように案内する出っ張り部によって、前記案内手段を構成したことを特徴とする請求項１記載のエレベーターの主ロープ交換用テンション負荷装置。
【請求項３】
前記既設主ロープ用ドラムのロープ巻き付き面に形成され、かつ、既設主ロープの巻き回し開始位置から巻き回し終了位置に向って傾斜させてなる傾斜面及び前記新主ロープ用ドラムのロープ巻き付き面に形成され、かつ、新主ロープの巻き回し開始位置から巻き回し終了位置に向って傾斜させてなる傾斜面によって、前記案内手段を構成したことを特徴とする請求項１記載のエレベーターの主ロープ交換用テンション負荷装置。
【発明の詳細な説明】
【技術分野】
【０００１】
本発明は、エレベーターの主ロープ交換用テンション負荷装置に関するものである。
【背景技術】
【０００２】
従来、エレベーターの主ロープを交換する場合には、巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにカウンタプーリを係合させて支持されるカウンタウェートとを備え、乗りかごを昇降路の頂部近傍に、かつ、カウンタウェートを昇降路の底部近傍に、それぞれ仮保持した状態で、既設主ロープの両端近傍を切断し、
その既設主ロープの乗りかご側切断端を既設主ロープ回収用巻き取り手段に連結すると共に、その既設主ロープのカウンタウェート側切断端を新主ロープ供給ドラム体に予め巻回してある新しい主ロープ（以下、新主ロープと称する）の一端に接続した後、巻上機を駆動して既設主ロープを既設主ロープ回収用巻き取り手段に回収しながら新主ロープに交換していくという主ロープ交換方法が採用されていた。
【０００３】
そして、この主ロープ交換方法においては、シーブの回転速度と既設主ロープ若しくは新主ロープの移動速度との間で速度差が生じてしまうことに起因してシーブや新主ロープが損傷するのを阻止するため、同一軸上に複数個の既設主ロープ用ドラム及び複数個の新主ロープ用ドラムを設けてなるテンション負荷装置を乗りかご上に設置して、既設主ロープ回収用巻き取り手段に回収される既設主ロープをテンション負荷装置の既設主ロープ用ドラムに巻回させる方向と新主ロープ供給ドラム体から供給される新主ロープをテンション負荷装置の新主ロープ用ドラムに巻回させる方向とが同一方向とするように、既設主ロープを既設主ロープ用ドラムに、かつ、新主ロープを新主ロープ用ドラムに、それぞれ巻回させることで、テンション負荷装置に新主ロープ供給ドラム体から供給される新主ロープとテンション負荷装置から既設主ロープ回収用巻き取り手段に回収される既設主ロープとの間にテンションを掛けておくことにより、シーブの回転速度と既設主ロープ若しくは新主ロープの移動速度とに速度差が生じないようにしていた（例えば、特許文献１参照）。
【特許文献１】特開２００２−２６５１６４号公報（段落番号０００７〜０００９、図１）
【発明の開示】
【発明が解決しようとする課題】
【０００４】
しかしながら、上述した従来の主ロープ交換用テンション負荷装置では、エレベーターの階床が多くなればなるほど、既設主ロープ及び新主ロープの自重が増大するため、テンション負荷装置の既設主ロープ用ドラムに巻き付く既設主ロープの巻き付け力及びテンション負荷装置の新主ロープ用ドラムに巻き付く新主ロープの巻き付け力が増大することなどが起因して、既設主ロープ用ドラムに巻き付いた既設主ロープの巻き回し位置若しくは新主ロープ用ドラムに巻き付いた新主ロープの巻き回し位置が、巻き回し終了方向にずれずに、既設主ロープの巻き回し開始位置方向に、若しくは新主ロープの巻き回し開始位置方向に、それぞれ戻るような状態が発生することがあった。その結果、主ロープ交換作業中に、テンション負荷装置の既設主ロープ用ドラム及び新主ロープ用ドラムが一周しても、その既設主ロープ用ドラムに巻き付いた既設主ロープの巻き回し位置が、若しくは新主ロープ用ドラムに巻き付いた新主ロープの巻き回し位置が、それぞれ巻き回し開始位置方向に戻るような状態が発生すると、既設主ロープ用ドラムに既に巻回されている既設主ロープ部分に新たに既設主ロープ用ドラムに巻回されてくる既設主ロープが重なって接触したり若しくは新主ロープ用ドラムに既に巻回されている新主ロープの部分に新たに新主ロープ用ドラムに巻回されてくる新主ロープが重なって接触したりするので、既設主ロープ用ドラムあるいは新主ロープ用ドラムがロックしてしまうと共に、新主ロープが損傷してしまうという問題が発生していた。
【０００５】
本発明の目的は、上述の問題点にかんがみ、新主ロープを損傷させることなく、かつ、既設主ロープ用ドラム及び新主ロープ用ドラムの回転が円滑に行われるエレベーターの主ロープ交換用テンション負荷装置を提供することにある。
【０００６】
上記第１の目的を達成するために、本発明は、巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにカウンタプーリを係合させて支持されるカウンタウェートとを備え、乗りかごを昇降路の頂部近傍に、かつ、カウンタウェートを昇降路の底部近傍に、それぞれ仮保持した状態で、既設主ロープの両端近傍を切断し、その既設主ロープの乗りかご側切断端を既設主ロープ回収用巻き取り手段に連結すると共に、その既設主ロープのカウンタウェート側切断端を新主ロープ供給ドラム体に予め巻回してある新主ロープの一端に接続した後、巻上機を駆動して既設主ロープを前記既設主ロープ回収用巻き取り機に回収しながら新主ロープに交換するエレベーターの主ロープ交換方法に用いられものであって、同一軸上に設けた既設主ロープ用ドラムと新主ロープ用ドラムを有し、しかも、前記既設主ロープ回収用巻き取り手段に回収される既設主ロープを前記既設主ロープ用ドラムに巻回させる方向と新主ロープ供給ドラム体から供給される新主ロープを前記新主ロープ用ドラムに巻回させる方向とが同一方向となるように、前記既設主ロープを前記既設主ロープ用ドラムに、かつ、前記新主ロープを前記新主ロープ用ドラムに、それぞれ巻回させるように構成してなるエレベーターの主ロープ交換用テンション負荷装置において、前記既設主ロープ用ドラムに巻き付いた既設主ロープの巻き回し位置が巻き回し終了方向にずれるように案内し、かつ、前記新主ロープ用ドラムに巻き付いた新主ロープの巻き回し位置が巻き回し終了方向にずれるように案内する案内手段を設けることを特徴としている。
【発明の効果】
【０００７】
本発明によれば、既設主ロープ用ドラムに巻かれる既設主ロープの巻き回し位置が巻き回し終了方向（出口方向）にずれるように案内されるため、既設主ロープ用ドラムに既に巻回されている既設主ロープ部分に新たに既設主ロープ用ドラムに巻回されてくる既設主ロープが重なって接触することがないし、かつ、新主ロープ用ドラムに巻かれる新主ロープの巻き回し位置が巻き回し終了方向（出口方向）にずれずように案内されるため、新主ロープ用ドラムに既に巻回されている新主ロープの部分に新たに新主ロープ用ドラムに巻回されてくる新主ロープが重なって接触することがないので、既設主ロープ用ドラム及び新主ロープ用ドラムがロックするのを阻止して、既設主ロープ用ドラム及び新主ロープ用ドラムを円滑に回転させることができ、しかも、新主ロープの損傷を阻止することのできる主ロープ交換用テンション負荷装置を提供できた。
【発明を実施するための最良の形態】
【０００８】
以下、本発明に係るエレベーターの主ロープ交換用テンション負荷装置の実施形態を、図面に基づいて説明する。
【０００９】
図１に示す一実施形態のエレベーターでは、２対１ローピング方式のエレベーターであって、機械室１に設置されている巻上機のシーブ２に巻回されてその一端側４Ａ及び他端側４Ｂの両端が機械室１の床に支持固定される複数本の既設主ロープ４と、この既設主ロープ４の一端側４Ａと巻上機のシーブ２との間で既設主ロープ４に乗りかご用プーリ５を係合させて支持される乗りかご６と、既設主ロープ４の他端側４Ｂと巻上機のシーブ２及びそらせ車８との間で既設主ロープ４にカウンタプーリ７を係合させて支持されるカウンタウェート９とを備えている。
【００１０】
図１に示す一実施形態のエレベーターにおける既設主ロープ４を、エレベーターを所有する顧客が所望する新しい主ロープ１０（以下、新主ロープ１０と称する）に交換する場合には、乗りかご６を吊り上げるための電動チェーンブロックなどからなる乗りかご吊り上げ手段１１と、主ロープ交換用テンション負荷装置１２（以下、テンション負荷装置１２と称する）と、既設主ロープ４を回収するための既設主ロープ回収用巻き取り手段１３と、新主ロープ１０を供給するための新主ロープ供給ドラム体１４と、既設主ロープ４のうち、乗りかご用プーリ５とシーブ２との間に位置する部分を仮保持するための第１ロープ保持具１５と、既設主ロープ４のうち、カウンタウェート９と既設主ロープ４の他端側４Ｂとの間に位置する部分を仮保持するための第２ロープ保持具１６と、既設主ロープ４のうち、そらせ車８とカウンタウェート９との間に位置する部分を仮保持するための第３ロープ保持具１７と、案内プーリ１８と、カウンタプーリ用ロープ外れ装置１９と、カウンタウェート用支持部材２０とを、少なくとも、用意する。第１ロープ保持具１５、第２ロープ保持具１６、第３ロープ保持具１７及び案内プーリ１８は、昇降路３内の建屋梁などの強度部材にワイヤーなどにより着脱可能に取り付けられる。
【００１１】
図１に示す一実施形態においては、昇降路３の最上階乗り場３１に既設主ロープ回収用巻き取り手段１３及び新主ロープ供給ドラム体１４を、昇降路３の最上階乗り場３１に設置する。新主ロープ供給用巻き取り機１４には、新主ロープ１０が交換に必要な量が予め巻回されている。テンション負荷装置１２は、乗りかご６の上に設置される。テンション負荷装置１２は、図３〜図４に示すように、鋼材からなる載置台２１と、この載置台２１上に垂設された一対の鋼材からなる支持部材２２と、この一対の支持部材２２に支持された回転軸に取り付けた複数個の既設主ロープ用ドラム２３と、この既設主ロープ用ドラム２３が取り付けられた回転軸と同一の回転軸に取り付けた複数個の新主ロープ用ドラム２４と、既設主ロープ用ドラム２３のロープ巻き付き面の外方に設置させた複数個の既設主ロープ外れ止めローラー２５、２６と、新主ロープ用ドラム２４のロープ巻き付き面の外方に設置させた複数個の新主ロープ外れ止めローラー２７、２８と、載置台２１に支持された既設主ロープ４の逆走保持手段２９（図３参照）と、支持部材２２に支持された送り保持手段３０（図４参照）とを、少なくとも備えている。既設主ロープ外れ止めローラー２５は、図１に示すように、既設主ロープ用ドラム２３に対する既設主ロープ４の巻き回し開始位置側に設けられている。既設主ロープ外れ止めローラー２６は、既設主ロープ４の巻き回し開始位置から半回転した位置側に設けられている。新主ロープ外れ止めローラー２７は、図１に示すように、新主ロープ用ドラム２４に対する新主ロープ１０の巻き回し開始位置側に設けられている。新主ロープ外れ止めローラー２８は、新主ロープの巻き回し開始位置から半回転した位置側に設けられている。
【００１２】
テンション負荷装置１２の既設主ロープ外れ止めローラー２５には、図２に示すように、既設主ロープ用ドラム２３に巻かれる既設主ロープの巻き回し位置が、巻き回し終了方向にずれるように案内する案内手段となる出っ張り部２５Ａが一体的に設けられている。テンション負荷装置１２の新主ロープ外れ止めローラー２８には、図２に示すように、新主ロープ用ドラム２４に巻き付いた新主ロープの巻き回し位置が、巻き回し終了方向へずれずように案内する案内手段となる出っ張り部２８Ａが一体的に設けられている。出っ張り部２５Ａ及び出っ張り部２８Ａの外周面は、円状にしてある。出っ張り部２５Ａは、図２に示すように、既設主ロープ４の巻き回し開始位置側に設けられている。出っ張り部２８Ａは、図２に示すように、新主ロープ１０の巻き回し開始位置側に設けられている。
【００１３】
テンション負荷装置１２では、既設主ロープ回収用巻き取り手段１３に回収される既設主ロープ４が既設主ロープ用ドラム２３に巻回する方向と新主ロープ供給ドラム体１４から供給される新主ロープ１０が新主ロープ用ドラム２４に巻回する方向とが同一方向となるように、既設主ロープ４を既設主ロープ用ドラム２３に、かつ、新主ロープ１０を新主ロープ用ドラム２４に、それぞれ巻回させることで、テンション負荷装置１２に新主ロープ供給ドラム体１４から供給される新主ロープ１０とテンション負荷装置１２から既設主ロープ回収用巻き取り手段１３に回収される既設主ロープ４とにテンションを掛けられるようにしている。すなわち、図３の矢印Ａのごとく機械室８側から移動してきた既設主ロープ４は、既設主ロープ用ドラム２３に、時計方向に沿って数回巻き付け後、逆走保持手段２９を介して、矢印Ｂのごとく最上階乗り場３１に移動して既設主ロープ回収用巻き取り手段１３に回収されるようにしてある。また、図４の矢印Ｃのごとく最上階乗り場３１から移動してきた新主ロープ１０は、送り保持手段３０を介して新主ロープ用ドラム２４に、時計方向に沿って数回巻き付け後、矢印Ｄのごとく引き出されるようにしてある。
【００１４】
上述のように構成したテンション負荷装置１２を用いたエレベーターの主ロープ交換方法は、次のような工程順で行われる。
【００１５】
まず、第１工程として、乗りかご６を、カウンタウェート９と略同じ高さ位置まで下降させて停止させた後、その乗りかご６上を作業足場にしてカウンタウェート９にカウンタプーリ用ロープ外れ装置１９を取り付ける。
【００１６】
次に、第２工程として、乗りかご６を低速で上昇させて昇降路３の最上階乗り場３１の近傍に停止させる一方、昇降路３の内底面に設けた緩衝器３２よりも上方に位置するようにカウンタウェート用支持部材２０によってカウンタウェート９を、昇降路３の底部に仮保持する。
【００１７】
次に、第３工程として、カウンタウェート９と既設主ロープ４の他端側４Ｂとの間に位置する既設主ロープ４の部分に第２ロープ保持具１６を、かつ、そらせ車８とカウンタウェート９との間に位置する既設主ロープ４の部分に第３ロープ保持具１７を、それぞれ、乗りかご６上を作業足場にして取り付けることで、既設主ロープ４の他端側４Ｂを仮保持すると共に、昇降路３の頂部近傍に強度部材部分に取り付けた乗りかご吊り上げ手段１１によって乗りかご６を吊り上げることにより、既設主ロープ４のテンションを除去してその既設主ロープ４を弛ませた後、乗りかご用プーリ５とシーブ２との間に位置する既設主ロープ４の部分に第１ロープ保持具１５を、乗りかご６上を作業足場にして取り付けることで、既設主ロープ４の一端側４Ａを仮保持する。
【００１８】
次に、第４工程として、既設主ロープ４の一端側４Ａ及び他端側４Ｂの両端を機械室１の床から乗りかご６上に降ろした後、乗りかご用プーリ５から機械室１の床までの距離及び第２ロープ保持具１６から機械室１の床までの距離を測定する。
【００１９】
次に、第５工程として、乗りかご用プーリ５と既設主ロープ４の一端側４Ａとの間及び第２ロープ保持具１６と既設主ロープ４の他端側４Ｂとの間で、それぞれ既設主ロープ４を切断する。
【００２０】
次に、第６工程として、乗りかご６上に設置したテンション負荷装置１２の既設主ロープ用ドラム２３に、既設主ロープ４の一端４Ａを、２回半程度、時計方向に巻回させた（図３及び図２参照）後、その既設主ロープ４の一端側４Ａを、既設主ロープ外れ止めローラー２６と既設主ロープ用ドラム２３との間及び逆走保持手段２９を介してから既設主ロープ回収用巻き取り手段１３に接続すると共に、新主ロープ供給ドラム体１４から引き出された新ロープ１０を送り保持手段３０を介してから、その新ロープ１０を、テンション負荷装置１２の新主ロープ用ドラム２４に２回半程度、時計方向に巻回させた（図４及び図２参照）後、さらに、新主ロープ外れ止めローラー２７と新主ロープ用ドラム２４との間から引き出して、その新主ロープ１０の端部と案内プーリ１８に掛着させてなる既設主ロープ４の他端側４Ｂの切断部とを接続することによって、接続部３３を作る（図１参照）。
【００２１】
次に、第７工程として、第１ロープ保持具１５と第２ロープ保持具１６と第３ロープ保持具１７を、既設主ロープ４から取り外してテンション負荷装置１２の新主ロープ用ドラム２４に巻回してから送り出される新主ロープ１０とテンション負荷装置１２の既設主ロープ用ドラム２３に巻回してから引き出される既設主ロープ４とに負荷が掛かるようにすることにより、既設主ロープ４及び新主ロープ１０の全体にテンションが掛けられた状態とした後、乗りかご６を下降させると共に、既設主ロープ回収用巻き取り手段１３を作動させることで、既設主ロープ４が既設主ロープ回収用巻き取り手段１３に巻き取られることにより、新主ロープ１０と既設主ロープ４の他端側４Ｂとの接続部３３が引っ張られて移動する。そして、新主ロープ１０と既設主ロープ４の他端側４Ｂとの接続部３３が、案内プーリ１８―カウンタプーリ７―そらせ車８―巻上機のシーブ２の順で移動して、乗りかご６上のテンション負荷装置１２に接近したならば、乗りかご６を停止させる。
【００２２】
次に、第８工程として、新主ロープ１０の接続部３３とシーブ２との間に位置する新主ロープ１０の部分に第１ロープ保持具１５を、カウンタウェート９と案内プーリ１８との間に位置する新主ロープ１０の部分に第２ロープ保持具１６を、そらせ車８とカウンタウェート９との間に位置する新主ロープ１０の部分に第３ロープ保持具１７を、それぞれ、乗りかご６上を作業足場にして、再び、取り付けることで、新主ロープ１０を仮保持した後、上記第４工程で測定してある乗りかご用プーリ５から機械室１の床までの距離と第２ロープ保持具１６から機械室１の床までの距離とに合せて、新主ロープ１０の両端を切断し、その後、新主ロープ１０の一端側を、乗りかご用プーリ５に掛着させてから機械室１の床に支持固定すると共に、主ロープ１０の他端側を、案内プーリ１８より離してから機械室１の床に支持固定し、最後に、第１ロープ保持具１５、第２ロープ保持具１６及ぶ第３ロープ保持具１７による新主ロープ１０の仮保持を解除した後、第１ロープ保持具１５、第２ロープ保持具１６、第３ロープ保持具１７及び案内プーリ１８を昇降路３内の建屋梁などの強度部材から取り外して片付けると共に、テンション負荷装置１２を乗りかご６上から取り外して片付け、かつ、既設主ロープ回収用巻き取り手段１３及び新主ロープ供給ドラム体１４を最上階乗り場３１から片付ける。
【００２３】
上記エレベーターの主ロープ交換方法では、複数個の既設主ロープ４のすべてにつき、上記第３工程から第８工程の作業を、順次繰り返して行うようにしているが、これに限定されない。乗りかご６上や昇降路３の状況に応じて、上記第４工程から第５工程の作業を、複数個の既設主ロープ４のすべてにつき、繰り返して行った後、上記第６工程から第８工程の作業を、複数個の既設主ロープ４のすべてにつき、繰り返して行うようにしてもよい。
【００２４】
上記エレベーターの主ロープ交換方法において、既設主ロープ４は、テンション負荷装置１２の既設主ロープ用ドラム２３を２回半程度、時計方向に巻回した後、既設主ロープ用ドラム２３から昇降路３の最上階乗り場３１に向って引き出される（図３及び図２参照）と共に、新主ロープ供給ドラム体１４に巻かれた新主ロープ１０は、テンション負荷装置１２の新主ロープ用ドラム２４を２回半程度、時計方向に巻回した後、既設主ロープ４に引っ張られて新主ロープ用ドラム２４から引き出される（図４及び図２参照）際、既設主ロープ外れ止めローラー２５に設けた出っ張り部２５Ａにより、既設主ロープ用ドラム２３に巻かれる既設主ロープ４の巻き回し位置が、巻き回し終了方向（出口方向）にずれるように案内されるため、既設主ロープ用ドラム２３に既に巻回されている既設主ロープ４部分に新たに既設主ロープ用ドラム２３に巻回されてくる既設主ロープ４が重なって接触することがないし、かつ、新主ロープ外れ止めローラー２８に設けた出っ張り部２８Ａにより、新主ロープ用ドラム２４に巻かれる新主ロープ１０の巻き回し位置が、巻き回し終了方向（出口方向）にずれずように案内されるため、新主ロープ用ドラム２４に既に巻回されている新主ロープ１０の部分に新たに新主ロープ用ドラム２４に巻回されてくる新主ロープ１０が重なって接触することがないので、既設主ロープ用ドラム２３及び新主ロープ用ドラム２４がロックしてしまったり、新主ロープ１０が損傷してしまったりすることを阻止できる。
【００２５】
図５は、本発明の他実施形態を示す。図５において、図２と同一符号は、同一内容を表している。図５に示す他実施形態の主ロープ交換用テンション負荷装置３４（以下、テンション負荷装置３４と称する）は、既設主ロープ用ドラム２３に巻かれる既設主ロープ４の巻き回し位置を巻き回し終了方向（出口方向）にずれるように案内する案内手段及び新主ロープ用ドラム２４に巻かれる新主ロープ１０の巻き回し位置を巻き回し終了方向（出口方向）にずれずように案内する案内手段が、図２に示す一実施形態のテンション負荷装置１２とは異にするだけで、他の点は図２に示す一実施形態のテンション負荷装置１２と同一構造である。他実施形態の示すテンション負荷装置３４では、図５に示すように、既設主ロープ用ドラム２３のロープ巻き付き面を、既設主ロープ４の巻き回し開始位置から巻き回し終了位置に向って傾斜させてなる傾斜面２３Ａ及び新主ロープ用ドラム２４のロープ巻き付き面を、新主ロープ１０の巻き回し開始位置から巻き回し終了位置に向って傾斜させてなる傾斜面２４Ａを、案内手段としたものである。
【００２６】
上述の傾斜面２３Ａにより、既設主ロープ用ドラム２３に巻かれる既設主ロープ４の巻き回し位置が、巻き回し終了方向（出口方向）にずれるように案内されるため、既設主ロープ用ドラム２３に既に巻回されている既設主ロープ４部分に新たに既設主ロープ用ドラム２３に巻回されてくる既設主ロープ４が重なって接触することがなくなり、しかも、上述の傾斜面２４Ａにより、新主ロープ用ドラム２４に巻かれる新主ロープ１０の巻き回し位置が、巻き回し終了方向（出口方向）にずれずように案内されるため、新主ロープ用ドラム２４に既に巻回されている新主ロープ１０の部分に新たに新主ロープ用ドラム２４に巻回されてくる新主ロープ１０が重なって接触することがなくなるので、一実施形態のテンション負荷装置１２と同様に、既設主ロープ用ドラム２３及び新主ロープ用ドラム２４がロックしてしまったり、新主ロープ１０が損傷してしまったりすることを阻止できる。他実施形態の示すテンション負荷装置３４では、既設主ロープ外れ止めローラー２５と、既設主ロープ外れ止めローラー２６と、新主ロープ外れ止めローラー２７と、新主ロープ外れ止めローラー２８を、同一形状として、共用化できるので、生産性を向上させることができる。
【００２７】
さらに、既設主ロープ用ドラム２３に巻かれる既設主ロープ４の巻き回し位置を巻き回し終了方向（出口方向）にずれるように案内する案内手段として、一実施形態の出っ張り部２５Ａと他実施形態の傾斜面２３Ａの両方を、新主ロープ用ドラム２４に巻かれる新主ロープ１０の巻き回し位置を巻き回し終了方向（出口方向）にずれずように案内する案内手段として、一実施形態の出っ張り部２８Ａと他実施形態の傾斜面２４Ａの両方を、それぞれ設けるようにしてもよい。
【図面の簡単な説明】
【００２８】
【図１】本発明の一実施形態に係わるエレベーターの主ロープ交換作業開始時の状態を示す概略説明図である。
【図２】本発明の一実施形態を示し、主ロープ交換用テンション負荷装置の要部拡大正面図である。
【図３】本発明の一実施形態を示し、主ロープ交換用テンション負荷装置の既設主ロープ用ドラム側の概略説明図である。
【図４】本発明の一実施形態を示し、主ロープ交換用テンション負荷装置の新主ロープ用ドラム側の概略説明図である。
【図５】本発明の他実施形態を示し、主ロープ交換用テンション負荷装置の要部拡大正面図である。
【符号の説明】
【００２９】
１    機械室
２    巻上機のシーブ
３    昇降路
４    既設主ロープ
４Ａ  既設主ロープの一端側
４Ｂ  既設主ロープの他端側
５    乗りかご用プーリ
６    乗りかご
７    カウンタプーリ
８    そらせ車
９    カウンタウェート
１０  新主ロープ
１１  乗りかご吊り上げ手段
１２  テンション負荷装置
１３  既設主ロープ回収用巻き取り手段
１４  新主ロープ供給ドラム体
１５  第１ロープ保持具
１６  第２ロープ保持具
１７  第３ロープ保持具
１８  案内プーリ
１９  カウンタプーリ用ロープ外れ装置
２０  カウンタウェート用支持部材
２１  載置台
２２  支持部材
２３  既設主ロープ用ドラム
２３Ａ  傾斜面
２４  新主ロープ用ドラム
２４Ａ  傾斜面
２５、２６  既設主ロープ外れ止めローラー
２５Ａ  出っ張り部
２７、２８  新主ロープ外れ止めローラー
２８Ａ  出っ張り部
２９  逆走保持手段
３０  送り保持手段
３１  最上階乗り場
３２  緩衝器
３３  接続部
【図１】
2005178920.tif 000003
【図２】
2005178920.tif 000004
【図３】
2005178920.tif 000005
【図４】
2005178920.tif 000006
【図５】
2005178920.tif 000007